(57)【特許請求の範囲】
【請求項１】
試料を照明する照明光の試料表面における正反射方向を変角０度方向として、
試料の変角４５度方向への光反射率を計測する第１反射率計測手段と、
試料の変角２５度方向への光反射率を計測する第２反射率計測手段と、
試料の変角１５度方向への光反射率を計測する第３反射率計測手段と、
第１反射率計測手段で計測された光反射率Ｒ４５と第２反射率計測手段で計測された光反射率Ｒ２５と第３反射率計測手段で計測された光反射率Ｒ１５とを用いて、試料の変角５度方向への光反射率の推定値Ｒ５を計算する反射率計算手段を備え、
前記反射率計算手段が計算する光反射率の推定値Ｒ５は次式、即ち、
Ｒ５＝３・Ｒ１５−５・Ｒ２５／２＋Ｒ４５／２
を満たすことを特徴とする測色装置。
【請求項２】
前記第１反射率計測手段と前記第２反射率計測手段と前記第３反射率計測手段は、光反射率を波長毎に計測し、
前記反射率計算手段は、光反射率の推定値を波長毎に計算することを特徴とする請求項１の測色装置。
【請求項３】
試料を照明する照明光の試料表面における正反射方向を変角０度方向として、試料の変角５度方向への光反射率を推定する方法であって、
試料の変角４５度方向への光反射率を計測する第１反射率計測工程と、
試料の変角２５度方向への光反射率を計測する第２反射率計測工程と、
試料の変角１５度方向への光反射率を計測する第３反射率計測工程と、
第１反射率計測工程で計測された光反射率Ｒ４５と第２反射率計測工程で計測された光反射率Ｒ２５と第３反射率計測工程で計測された光反射率Ｒ１５とを用いて、試料の変角５度方向への光反射率の推定値Ｒ５を計算する反射率計算工程を備え、
前記反射率計算工程で計算される光反射率の推定値Ｒ５は次式、即ち、
Ｒ５＝３・Ｒ１５−５・Ｒ２５／２＋Ｒ４５／２
を満たすことを特徴とする光反射率推定方法。
【請求項４】
試料を照明する照明光の試料表面における正反射方向を変角０度方向として、
試料を変角４５度方向から見たときの明度を計測する第１明度計測手段と、
試料を変角２５度方向から見たときの明度を計測する第２明度計測手段と、
試料を変角１５度方向から見たときの明度を計測する第３明度計測手段と、
第１明度計測手段で計測された明度指標Ｌ４５と第２明度計測手段で計測された明度指標Ｌ２５と第３明度計測手段で計測された明度指標Ｌ１５とを用いて、試料を変角５度方向から見たときの明度指標の推定値Ｌ５を計算する明度計算手段を備え、
前記明度計算手段が計算する明度指標の推定値Ｌ５は次式、即ち、
Ｌ５＝３・Ｌ１５−５・Ｌ２５／２＋Ｌ４５／２
を満たすことを特徴とする測色装置。
【請求項５】
試料を照明する照明光の試料表面における正反射方向を変角０度方向として、試料を変角５度方向から見たときの明度を推定する方法であって、
試料を変角４５度方向から見たときの明度を計測する第１明度計測工程と、
試料の変角２５度方向から見たときの明度を計測する第２明度計測工程と、
試料の変角１５度方向から見たときの明度を計測する第３明度計測工程と、
第１明度計測工程で計測された明度指標Ｌ４５と第２明度計測工程で計測された明度指標Ｌ２５と第３明度計測工程で計測された明度指標Ｌ１５とを用いて、試料を変角５度方向から見たときの明度指標の推定値Ｌ５を計算する明度計算工程を備え、
前記明度計算工程で計算される明度指標の推定値Ｌ５は次式、即ち、
Ｌ５＝３・Ｌ１５−５・Ｌ２５／２＋Ｌ４５／２
を満たすことを特徴とする明度推定方法。
【発明の詳細な説明】
【技術分野】
【０００１】
本発明は、物体の色を測定する技術に関する。
【背景技術】
【０００２】
物体の色を測定する技術が開発されている。この技術では、物体を照明光で照明するとともに物体によって反射された反射光を受光し、物体の光反射率を計測することによって、物体の色を定量的に測定する。
物体を見たときの色は、光源位置や視点位置によって変化する。そのことから、物体の色をより正確に表現するためには、物体を観測するときの観測方向を変角によって定義し、物体の光反射率を変角毎に測定する必要がある。ここでいう変角とは、物体を照明する照明光の物体表面における正反射方向と観測方向とがなす角をいう。
【０００３】
物体の光反射率を変角毎に測定するためには、反射光の受光方向を逐一調整しながら、多数回に亘って光反射率を計測する必要があり、面倒な作業が必要とされる。そこで、特許文献１には、変角が１５度、２５度、４５度、７５度、１１０度となる方向への物体の光反射率を計測し、計測した５角度の光反射率に基づいて、変角が１０度から１１０度となる方向への光反射率を推定する技術が開示されている。
【特許文献１】特開平１０−０１００４５号公報
【発明の開示】
【発明が解決しようとする課題】
【０００４】
図４は、従来の技術によって、自動車用の塗装を施した試料１００を変角毎に測色する様子を示している。試料１００では、基材１０２上に、着色顔料や光輝材を含む塗料層１０４や、無色透明のクリア層１０６等が形成されている。図４に示すように、光源２から入射方向Ｄａに沿って試料１００へと入射する照明光４は、試料１００によって反射され、その反射光６、８が受光器９によって受光される。受光器９の位置を変化させながら、試料１００の各変角α方向への反射光を受光することによって、試料１００の光反射率を変角α毎に測定する。
図４に示すように、試料１００によって反射された反射光６、８には、照明光４が試料表面１００ａにおいて表面反射された表面反射光６と、照明光４が試料表層部（主に塗料層１０４）において拡散反射された拡散反射光８とが含まれている。そのうちの表面反射光６は、照明光４が正反射方向Ｄｃへと鏡面的に反射されたものであり、その波長毎の強度には照明光４の波長毎の強度が強く反映される。試料１００の色を正確に測定するためには、拡散反射光８のみを受光して、試料１００の光反射率を計測する必要がある。
【０００５】
図５は、図４に示す従来の方法によって、試料１００の光反射率Ｒ（λ）を、変角α毎に測定した結果を示している。図５に示すように、従来の技術によって光反射率Ｒ（λ）を測定すると、変角αが１０度未満となる範囲において、光反射率Ｒ（λ）の測定値は急激に上昇する。これは、変角αが１０度未満となる方向、即ち、正反射方向Ｄｃに近接する方向において、受光器９が表面反射光６を強く受光してしまうことに起因している。そのために、試料１００を変角αが１０度未満となる方向から見たときの色を正しく測定することができない。
特許文献１の技術では、推定できる光反射率は変角αが１０度から１１０度となる範囲に限られているので、変角αが１０度未満となる方向への光反射率を推定することができない。
本発明は、上記の問題を解決する。本発明は、変角が１０度未満となる方向から物体を見たときの色を測定するための技術を提供する。
【課題を解決するための手段】
【０００６】
本発明の技術は、物体等の色を測定するための測色装置に具現化することができる。この測色装置は、試料の変角４５度方向への光反射率を計測する第１反射率計測手段と、試料の変角２５度方向への光反射率を計測する第２反射率計測手段と、試料の変角１５度方向への光反射率を計測する第３反射率計測手段と、第１反射率計測手段で計測された光反射率Ｒ４５と第２反射率計測手段で計測された光反射率Ｒ２５と第３反射率計測手段で計測された光反射率Ｒ１５とを用いて、試料の変角５度方向への光反射率の推定値Ｒ５を計算する反射率計算手段を備えている。そして、前記反射率計算手段が計算する光反射率の推定値Ｒ５は次式、即ち、Ｒ５＝３・Ｒ１５−５・Ｒ２５／２＋Ｒ４５／２を満たすことを特徴とする。
【０００７】
本願出願人は、物体の光反射率が変角に応じて変化するときの挙動を研究し、変角と光反射率との間に、図３に示す関係が成立していることを見出した。即ち、図３に示すように、変角が４５度から２５度へと変化するときに光反射率Ｒ（λ）が変化するときの変化率をＡ１とし、変角が２５度から１５度へと変化するときに光反射率Ｒ（λ）が変化するときの変化率をＡ２とし、変角が１５度から５度へと変化するときに光反射率Ｒ（λ）が変化するときの変化率をＡ３とすると、変化率Ａ１に対する変化率Ａ２の変化量と、変化率Ａ２に対する変化率Ａ３の変化量が略等しくなることを見出した。この関係は、任意の波長λについて有効に成立することが確認されている。
従って、試料の変角５度方向への光反射率Ｒ５（λ）は、試料の変角４５度方向への光反射率Ｒ４５（λ）と、試料の変角２５度方向への光反射率Ｒ２５（λ）と、試料の変角１５度方向への光反射率Ｒ１５（λ）を用いて、間接的に測定することができる。以上をまとめると、以下の式が成立する。
Ａ１＝(Ｒ２５(λ)−Ｒ４５(λ))／(４５−２５)  ・・（１）；
Ａ２＝(Ｒ１５(λ)−Ｒ２５(λ))／(２５−１５)  ・・（２）；
Ａ３−Ａ２＝Ａ２−Ａ１  ・・（３）；
従って、
Ａ３＝２・Ａ２−Ａ１
＝２・(Ｒ１５(λ)−Ｒ２５(λ))／１０−(Ｒ２５(λ)−Ｒ４５(λ)）／２０  ；
となり、試料の変角５度方向への光反射率Ｒ５（λ）は、
Ｒ５（λ）＝Ｒ１５(λ)＋Ａ３・(１５−５)
＝３・Ｒ１５(λ)−５・Ｒ２５(λ)／２＋Ｒ４５(λ)／２
となる。
この測色装置によると、試料の変角５度方向への光反射率を間接的に測定することが可能となり、試料を変角５度方向から見たときの色を定量的に測定することができる。
【０００８】
上記の測色装置では、第１反射率計測手段と第２反射率計測手段と第３反射率計測手段は、光反射率を波長毎に計測することが好ましい。この場合、反射率計算手段は、光反射率の推定値を波長毎に計算することが好ましい。
それにより、試料を変角５度方向からみたときの色を、より正確に記述する定量値を得ることが可能となる。
【０００９】
本発明の技術は、試料の変角５度方向への光反射率を推定する方法にも具現化することができる。この方法は、試料の変角４５度方向への光反射率を計測する第１反射率計測工程と、試料の変角２５度方向への光反射率を計測する第２反射率計測工程と、試料の変角１５度方向への光反射率を計測する第３反射率計測工程と、第１反射率計測工程で計測された光反射率Ｒ４５と第２反射率計測工程で計測された光反射率Ｒ２５と第３反射率計測工程で計測された光反射率Ｒ１５とを用いて、試料の変角５度方向への光反射率の推定値Ｒ５を計算する反射率計算工程を備えている。そして、前記反射率計算工程で計算される光反射率の推定値Ｒ５が次式、即ち、Ｒ５＝３・Ｒ１５−５・Ｒ２５／２＋Ｒ４５／２
を満たすことを特徴とする。
この方法によると、試料の変角５度方向への光反射率を間接的に測定することが可能となり、試料を変角５度方向からみたときの色を記述する定量値を得ることができる。
【００１０】
物体を見たときの明度は、物体の波長毎の光反射率の平均によって記述することができる。上記した（１）、（２）、（３）式は、任意の波長λについて成立することから、物体を見たときの明度を記述する指標に対しても有効となる。従って、本発明の技術により、次の測色装置を具現化することもできる。この測色装置は、試料を変角４５度方向から見たときの明度指標を計測する第１明度計測手段と、試料を変角２５度方向から見たときの明度指標を計測する第２明度計測手段と、試料を変角１５度方向から見たときの明度指標を計測する第３明度計測手段と、第１明度計測手段で計測された明度指標Ｌ４５と第２明度計測手段で計測された明度指標Ｌ２５と第３明度計測手段で計測された明度指標Ｌ１５とを用いて、試料を変角５度方向から見たときの明度指標の推定値Ｌ５を計算する明度計算手段を備えている。そして、前記明度計算手段が計算する明度の推定値Ｌ５は次式、即ち、Ｌ５＝３・Ｌ１５−５・Ｌ２５／２＋Ｌ４５／２を満たすことを特徴とする。
この測色装置によると、試料を変角５度方向から見たときの明度指標を間接的に測定することが可能となり、試料を変角５度方向からみたときの明度を定量的に測定することが可能となる。
【００１１】
本発明の技術はまた、試料を変角５度方向から見たときの明度指標を推定する方法を提供する。この方法は、試料を変角４５度方向から見たときの明度指標を計測する第１明度計測工程と、試料の変角２５度方向から見たときの明度指標を計測する第２明度計測工程と、試料の変角１５度方向から見たときの明度指標を計測する第３明度計測工程と、第１明度計測工程で計測された明度指標Ｌ４５と第２明度計測工程で計測された明度指標Ｌ２５と第３明度計測工程で計測された明度指標Ｌ１５とを用いて、試料を変角５度方向から見たときの明度指標の推定値Ｌ５を計算する明度計算工程を備えている。そして、前記明度計算工程で計算される明度指標の推定値Ｌ５は次式、即ち、Ｌ５＝３・Ｌ１５−５・Ｌ２５／２＋Ｌ４５／２を満たすことを特徴とする。
この方法によると、試料を変角５度方向から見たときの明度指標を間接的に測定することが可能となり、試料を変角５度方向からみたときの明度を定量的に測定することが可能となる。
【発明の効果】
【００１２】
本発明によって、物体を変角５度方向から見たときの色を定量的に測定することが可能となり、いわゆるハイライトとよばれる光源の映り込みが生じる範囲の色を定量的に把握することが可能となる。また、得られた変角５度方向の測色値から、変角が１０度未満となる他の方向から物体を見たときの色を記述する指標を推定することも可能となる。
【発明を実施するための最良の形態】
【００１３】
最初に、以下に説明する実施例の主要な特徴を列記する。
（形態１）  測色装置は、試料を入射角４５度の方向から照明する光源器を備えている。
（形態２）  測色装置は、第１受光器と第２受光器と第３受光器を備えている。第１受光器は、試料によって変角４５度方向へと反射された反射光を受光する。第２受光器は、試料によって変角２５度方向へと反射された反射光を受光する。第３受光器は、試料によって変角１５度方向へと反射された反射光を受光する。
（形態３）  測色装置は、受光器の出力信号に基づいて、試料の分光反射率を計算する回路を備えている。
（形態４）  測色装置は、受光器の出力信号に基づいて、試料の明度指標を計算する回路を備えている。
【実施例】
【００１４】
本発明を実施した測色装置について図面を参照しながら説明する。図１は、測色装置１０の構成を示す一部断面図である。図１に示すように、測色装置１０は、利用者が携帯可能な携帯型の測色装置であり、試料表面である試料表面１００ａ上に載置された状態で、試料表面１００ａの分光反射率を測定する。
測色装置１０は、利用者が携帯可能な大きさのハウジング１２を備えている。ハウジング１２には、利用者が操作する操作ボタン１４や、測色装置１０の動作状態や測定結果等を表示する表示部１６等が設けられている。
【００１５】
ハウジング１２の内部には、空洞状の測定室２０が設けられている。測定室２０の下方部は外部に向けて開放しており、測色装置１０が試料表面１００ａ上に載置されたときに、測定室２０の開放部２０ａが試料表面１００ａと対向するようになっている。測定室２０には、光源器２５と、第１受光器２１と、第２受光器２２と、第３受光器２３が設けられている。
光源器２５は、試料表面１００ａの分光反射率を測定する際に、試料表面１００ａを照明するための光源である。光源器１０が照射する照明光（図中の実線矢印）２は、測定室２０の開放部２０ａに対向している測定面１００ａへと入射する。光源器２５には、例えばハロゲンランプを用いることができる。
第１受光器２１と第２受光器２２と第３受光器２３は、試料表面１００ａの測定点Ｐで反射された反射光（図中の破線矢印）８を受光し、反射光８の強度に対応する信号を出力する。各受光器２１、２２、２３は、反射光８を波長毎に受光する複数の受光素子を備えており、反射光８の強度に対応する信号を波長毎に出力する。第１受光器２１と第２受光器２２と第３受光器２３は、互いに異なる位置に配置されており、試料表面１００ａの測定点Ｐで反射された反射光８を、互いに異なる受光方向において受光する。
【００１６】
図２を参照して、光源器２５と第１受光器２１と第２受光器２２と第３受光器２３の位置関係について説明する。図２に示すように、光源器２５と試料表面１００ａ上の測定点Ｐを結ぶ入射軸Ｄａは、試料表面１００ａの法線方向Ｄｂに対して、４５度の角度をなしている。即ち、光源器２５の照明光２は、試料表面１００ａ上の測定点Ｐに、４５度の入射角で入射するように設定されている。図中のＤｃは、試料表面１００ａ上の測定点Ｐにおける照明光２の正反射方向を示している。正反射方向Ｄｃは、試料表面１００ａの法線方向Ｄｂに対して、反入射軸Ｄａ側に４５度の角度をなしている。
第１受光器２１は、試料表面１００ａの測定点Ｐからみて、正反射方向Ｄｃから法線方向Ｄｂに１５度の角度をなす方向に位置している。第１受光器２１は、試料表面１００ａの測定点Ｐにおいて変角が１５度となる方向へ反射された反射光８を受光する。
第２受光器２２は、試料表面１００ａの測定点Ｐからみて、正反射方向Ｄｃから２５度の角度をなす方向に位置している。第２受光器２２は、試料表面１００ａの測定点Ｐにおいて変角が２５度となる方向に反射された反射光８を受光する。
第３受光器２３は、試料表面１００ａの測定点Ｐからみて、正反射方向Ｄｃから４５度の角度をなす方向に位置している。即ち、第３受光器２３は、試料表面１００ａの測定点Ｐからみて、試料表面１００ａの法線方向ｄｂ上に位置している。第３受光器２３は、試料表面１００ａの測定点Ｐにおいて変角が４５度となる方向に反射された反射光８を受光する。
【００１７】
図１に示すように、測色装置１０は、処理回路３４を備えている。処理回路３４は、第１受光器２１と第２受光器２２と第３受光器２３の出力信号をそれぞれ入力し、試料表面１００ａの分光反射率（波長λ毎の反射率）Ｒ（λ）を変角毎に計算する。詳しくは、第１受光器２１の出力信号を用いて、試料表面１００ａの変角４５度方向への分光反射率Ｒ４５（λ）を計算する。また、第２受光器２２の出力信号を用いて、試料表面１００ａの変角２５度方向への分光反射率Ｒ２５（λ）を計算する。また、第３受光器２３の出力信号を用いて、試料表面１００ａの変角１５方向への光反射率Ｒ１５（λ）を計算する。
処理回路３４は、計算した分光反射率Ｒ（λ）を用いて、色を記述する各種の指標を算出することができる。例えば、計算した分光反射率Ｒ（λ）を用いて、国際照明委員会（ＣＩＥ）が規定するＣＩＥ１９７６（Ｌ＊，ａ＊，ｂ＊）表色系の各指標値Ｌ＊，ａ＊，ｂ＊を算出することができる。ここで、Ｌ＊値は色の明度を記述する指標である。Ｌ＊値が大きいほど色が明るいことを示す。ａ＊値は色の赤と緑の色相に対する強度を記述する指標である。ａ＊値が正の値で大きいほど赤の色相を示し、ａ＊値が負の値で小さいほど緑の色相を示す。ｂ＊値は黄と青の色相に対する強度を記述する指標である。ｂ＊値が正の値で大きいほど黄の色相を示し、ｂ＊値が負の値で小さいほど青の色相を示す。測色装置１０で得られたＬ＊値とａ＊値とｂ＊値は、コンピュータグラフィクス（ＣＧ）装置等に教示して、自動車ボディの塗装面等を再現表示するのに用いることができる。
【００１８】
処理回路３４は、反射光８の計測に基づいて計算された変角１５、２５、４５度における分光反射率を用いて、試料表面１００ａの変角５度における分光反射率や色彩指標値（Ｌ＊，ａ＊，ｂ＊）を推定計算する。
図３を参照して、処理回路３４が、変角１５、２５、４５度における分光反射率を用いて、変角１５度における分光反射率を推定計算する手法について説明する。本願出願人は、分光反射率が変角に応じて変化するときの挙動を研究し、変角と分光反射率との間に図３に示す関係が成立していることを見出した。即ち、図３に示すように、変角が４５度から２５度へと変化するときに分光反射率Ｒ（λ）が変化するときの変化率をＡ１とし、変角が２５度から１５度へと変化するときに分光反射率Ｒ（λ）が変化するときの変化率をＡ２とし、変角が１５度から５度へと変化するときに分光反射率Ｒ（λ）が変化するときの変化率をＡ３とすると、変化率Ａ１に対する変化率Ａ２の変化量と、変化率Ａ２に対する変化率Ａ３の変化量が略等しくなることを見出した。この関係は、任意の波長λについて有効に成立することが確認されている。従って、変角５度における分光反射率Ｒ５（λ）については、変角４５度における分光反射率Ｒ４５（λ）と、変角２５度における分光反射率Ｒ２５（λ）と、変角１５度における分光反射率Ｒ１５（λ）を用いて、その推定値を計算することができる。以上をまとめると、以下の式が成立する。
Ａ１＝(Ｒ２５(λ)−Ｒ４５(λ))／(４５−２５)  ・・（１）；
Ａ２＝(Ｒ１５(λ)−Ｒ２５(λ))／(２５−１５)  ・・（２）；
Ａ３−Ａ２＝Ａ２−Ａ１  ・・（３）；
従って、
Ａ３＝２・Ａ２−Ａ１
＝２・(Ｒ１５(λ)−Ｒ２５(λ))／１０−(Ｒ２５(λ)−Ｒ４５(λ)）／２０  ；
となり、変角５度における分光反射率Ｒ５（λ）は、
Ｒ５（λ）＝Ｒ１５(λ)＋Ａ３・(１５−５)
＝３・Ｒ１５(λ)−５・Ｒ２５(λ)／２＋Ｒ４５(λ)／２
となる。
【００１９】
処理回路３４は、上記の関係を利用して、変角１５、２５、４５度における分光反射率の測定値から、変角５度における分光反射率の推定値を計算する。変角１５、２５、４５度の方向では、表面反射光による影響は少ないことから、拡散反射光の分光反射率を精度よく測定することができる。即ち、変角１５、２５、４５度の方向から試料表面１００ａをみたときの色を正しく測定することができる。また、変角５度における分光反射率を、変角１５、２５、４５度における分光反射率の測定値から推定計算することによって、変角５度における拡散反射光の分光反射率を正しく把握することができる。即ち、変角５度の方向から試料表面１００ａをみたときの本来の色を正確に得ることができる。
【００２０】
処理回路３４によって計算された変角５、１５、２５、４５度における各分光反射率Ｒ（λ）は、表示器１６に表示される。このとき、処理回路３４は、計算した分光反射率Ｒ（λ）に基づいてＣＩＥ１９７６（Ｌ＊，ａ＊，ｂ＊）表色系の各指標値Ｌ＊，ａ＊，ｂ＊を計算して、表示器１６に表示させることもできる。
【００２１】
上記した数式（１）〜（３）は、ＣＩＥ１９７６（Ｌ＊，ａ＊，ｂ＊）表色系において色の明度を記述するＬ＊値についても成立する。即ち、次式が成立する。
Ｂ１＝(Ｌ２５−Ｌ４５)／(４５−２５)  ・・（４）；
Ｂ２＝(Ｌ１５−Ｌ２５)／(２５−１５)  ・・（５）；
Ｂ３−Ｂ２＝Ｂ２−Ｂ１  ・・（６）；
従って、
Ｂ３＝２・Ｂ２−Ｂ１
＝２・(Ｌ１５−Ｌ２５)／１０−(Ｌ２５−Ｌ４５）／２０  ；
となり、変角５度におけるＬ＊値であるＬ５は、
Ｌ５＝Ｌ１５＋Ｂ３・(１５−５)
＝３・Ｌ１５−５・Ｌ２５／２＋Ｌ４５／２
となる。なお、上式において、Ｌ４５は試料表面１００ａを変角４５度方向から見たときのＬ＊値を示し、Ｌ２５は試料表面１００ａを変角２５度方向から見たときのＬ＊値を示し、Ｌ１５は試料表面１００ａを変角１５度方向から見たときのＬ＊値を示し、Ｌ５は試料表面１００ａを変角５度方向から見たときのＬ＊値を示し、Ｂ１は変角が４５度から２５度へと変化するときにＬ＊値が変化するときの変化率を示し、Ｂ２は変角が２５度から１５度へと変化するときにＬ＊値が変化するときの変化率を示し、Ｂ３は変角が１５度から５度へと変化するときにＬ＊値が変化するときの変化率を示している。
従って、変角４５、２５、１５度に対するＬ＊値をそれぞれ分光反射率の測定値から先に計算し、計算した変角１５、２５、４５度に対するＬ＊値から変角５度に対するＬ＊値の推定値を計算することもできる。
【００２２】
以上の構成によって、測色装置１０は、利用者によって測定対象となる自動車ボディ等の試料表面１００ａ上に載置され、試料表面１００ａの色を測定するのに用いられる。測色装置１０は、光源器２５によって試料表面１００ａを照明し、試料表面１００ａの測定点Ｐにおいて反射された反射光８を、３つの受光器２１、２２、２３によって受光する。測色装置１０は、第１受光器２１によって受光した変角４５度方向への反射光８に基づいて、試料表面１００の変角４５度方向への光反射率を波長毎に計測する。また、第２受光器２２によって受光した変角２５度方向への反射光８に基づいて、試料表面１００ａの変角２５度方向への光反射率を波長毎に計測する。また、第３受光器２３によって受光した変角１５度方向への反射光８に基づいて、試料表面１００ａの変角１５度方向への光反射率を波長毎に計測する。このとき、測色装置１０は、計測した各変角方向の反射率のそれぞれから、試料表面１００ａを各変角方向から見たときの明度を記述するＬ＊値を算出することもできる。測色装置１０は、変角が４５度、２５度、１５度となる各方向への試料表面１００ａの光反射率を用いて、試料表面１００ａの変角５度方向への光反射率を推定計算する。また、測色装置１０は、変角が４５度、２５度、１５度となる各方向から試料表面１００ａを見たときの明度指標Ｌ＊値を用いて、試料表面１００ａを変角５度方向から見たときの明度指標Ｌ＊値を計算する。測色装置１０は、測定によって得た変角４５度、２５度、１５度、５度に対する光反射率、あるいは明度指標Ｌ＊値を、表示器１６に表示する。
この測色装置１０によると、試料表面１００ａの変角５度方向への光反射率や、試料表面１００ａを変角５度方向から見たときの明度を記述する指標Ｌ＊値を知ることができる。
【００２３】
以上、本発明の具体例を詳細に説明したが、これらは例示にすぎず、特許請求の範囲を限定するものではない。特許請求の範囲に記載の技術には、以上に例示した具体例を様々に変形、変更したものが含まれる。
本明細書または図面に説明した技術要素は、単独であるいは各種の組み合わせによって技術的有用性を発揮するものであり、出願時の請求項に記載の組み合わせに限定されるものではない。また、本明細書または図面に例示した技術は複数目的を同時に達成するものであり、そのうちの一つの目的を達成すること自体で技術的有用性を持つものである。
【図面の簡単な説明】
【００２４】
【図１】実施例の測色装置の構成を示す一部断面図。
【図２】光源器と各受光器の位置関係を示す図。
【図３】試料の変角５度方向への光反射率を推定する手法を説明する図。
【図４】従来の測色方法を示す図。
【図５】従来の測色方法で測定した光反射率を示す図。
【符号の説明】
【００２５】
１０：測色装置
１２：ハウジング
１４：操作ボタン
１６：表示部
２０：測定室
２１，２２，２３：受光器
２５：光源器
３４：処理回路
【図１】
0004701986.tif 000002
【図２】
0004701986.tif 000003
【図３】
0004701986.tif 000004
【図４】
0004701986.tif 000005
【図５】
0004701986.tif 000006